(57)【要約】【課題】無線機の機種などが違ってもその特性を簡単に測定できるようにする。【解決手段】測定用アダプター４０をその本体４０Ａと、その両端に接続コネクタ４８Ａ，４８Ｂが設けられた測定用ケーブル４０Ｂとで構成する。接続コネクタの構成に拘わらず、接続コネクタ１６のマイク端子は、測定用アダプター本体のマイク端子と接続され、接続コネクタのスピーカ端子は、測定用アダプターのスピーカ端子と接続され、接続コネクタの送受信切り替え用スイッチ端子は、測定用アダプターの送受信切り替え用スイッチ端子と接続されるように、測定用ケーブルの接続リード線がこの測定用ケーブルの両端部に設けられた接続コネクタ４８Ａ，４８Ｂに接続されたものが使用される。接続コネクタ１６専用の測定用ケーブルを使用することで、測定時間を短縮できる。【選択図】        図１
2006311437.tif 000002
【特許請求の範囲】
【請求項１】
無線機の受信レベルなどの特性を測定するために、上記無線機と測定機器との間に設けられる測定用アダプターであって、
この測定用アダプターは、測定用アダプター本体と、上記無線機に設けられたハンドセット用コネクタと上記測定用アダプター本体とを接続する測定用ケーブルで構成され、
上記測定用アダプター本体は、少なくとも測定用マイク端子、測定用スピーカ端子および送受信切り替え用スイッチ端子を有し、
上記測定用ケーブルには、上記ハンドセット用コネクタに導出されたマイク端子、スピーカ端子および送受信切り替え端子が、それぞれ上記測定用の各端子と接続されるように結線された接続コネクタがその両端に備えられた
ことを特徴とする測定用アダプター。
【請求項２】
上記無線機の特性測定時は、上記測定用アダプター本体に設けられた送受信切り替えスイッチによって、上記無線機が受信モードに切り替えられると共に、
上記測定用スピーカ端子に受信レベルを測定する機器が接続される
ことを特徴とする請求項１記載の測定用アダプター。
【請求項３】
上記無線機が送信モードとなるように上記測定用アダプター本体の送受信切り替えスイッチを操作したときで、被測定用無線機側が受信レベル測定モードであるときは、上記測定用マイク端子に供給された試験信号が上記被測定用無線機側に送信されるようになされた
ことを特徴とする請求項１記載の測定用アダプター。
【請求項４】
上記測定用アダプター本体には、上記送受信切り替え用スイッチに加えて、無線機の特性インピーダンスに整合させるための整合トランスが設けられた
ことを特徴とする請求項１記載の測定用アダプター。
【請求項５】
上記無線機が送信モードとなるように上記測定用アダプター本体の送受信切り替えスイッチを操作したときで、被測定用無線機側がノイズレベル測定モードであるときは、上記整合トランスが抵抗器によって終端される
ことを特徴とする請求項４記載の測定用アダプター。
【発明の詳細な説明】
【技術分野】
【０００１】
この発明は業務用無線機などの電気的特性を測定する場合に適用して好適な測定用アダプターに関する。詳しくは、この測定用アダプターをアダプター本体と、測定用ケーブルで構成し、測定すべき業務用無線機のハンドセット用接続コネクタのピン接続の仕方が相違する場合であっても、常にアダプター本体には同じ信号が供給されるような測定用ケーブルを使用することで、この共用化されたアダプター本体を使用して、メーカや機種が相違する業務用無線機であっても簡単に電気的特性を測定できるようにしたものである。
【背景技術】
【０００２】
電力業務関係では、電力関係施設間での連絡を無線で行う場合、現用および予備用とも固定局および移動局（車載局）の双方に設けられた無線機に対し、定期的な点検（数年に１回程度）が義務付けられている。点検は上述したように固定局と車載局との間で、その双方の無線機に対して実施される他、車載局と車載局との間でもその双方の無線機に対して実施される場合がある。
【０００３】
定期点検項目の１つに受信レベルの測定がある。基準の試験信号を受信したときの受信レベルとノイズレベルの関係からそれらの比Ｓ／Ｎが規定レベル（例えば３０ｄＢ以上）かどうかを測定し、規定レベル以下であるときは、再点検や修理を行って規定レベル以上を満足していることを報告するようになっている。
【０００４】
この受信レベルの測定にあっては、無線機本体に設けられた、ハンドセット用接続コネクタを利用して行われる。図５は測定すべき無線機１０の概観を示すもので、その正面パネル１２には、ボリュームＶＲ調整用の摘み、スケルチ調整用の摘み、送受信チャンネルＣＨの切り替え用摘みなどが設けられている他、表示用液晶パネル１４が設けられている。
【０００５】
そしてこの無線機１０本体側面にはハンドセット１８用の接続コネクタ１６が設けられている。ハンドセット１８はマイクおよびスピーカを内蔵すると共に、ハンドセット本体側面には送受信切り替え用のスイッチ（ＰＴＴスイッチ）２０が設けられている。
【０００６】
接続コネクタ１６はピンジャックなどが用いられ、そのためハンドセット１８側の接続ケーブル２２の接続コネクタ２４は図６のようにピンプラグが接続されている。
【０００７】
受信レベルなどを測定するときは、ハンドセット用接続コネクタ１６に設けられた接続端子（例えば接続ピン）のうちスピーカ出力端子（図示はしない）を利用し、このスピーカ出力端子に受信レベル測定器の測定端子を接続し、無線機１０を受信モードにしたときの受信レベルを測定している。
【０００８】
そのため、このような測定においては、常に受信レベル測定器（図示はしない）の測定端子を、無線機本体の接続コネクタ１６のスピーカ端子に接続する必要がある。
【０００９】
なお、無線機の受信レベルなどを測定する技術としては、特許文献１〜特許文献３などがある。これらは何れも保守や点検あるいは試験用として無線機の受信レベルを測定するための技術ではなく、あくまでも稼働中における受信レベルの強度などを測定する技術が開示されている。
【００１０】
【特許文献１】特開平１０−２６２００５号公報
【特許文献２】特開２００４−３６４０５７号公報
【特許文献３】特開２００３−２４８０２４号公報
【発明の開示】
【発明が解決しようとする課題】
【００１１】
ところで、無線機はメーカが違ったり、同じメーカでも機種が相違すると、ハンドセット用接続コネクタ１６のピン数が相違したり、同じピン数でも出力の仕方（出し方）が相違したりする。例えばピン数が４ピンの接続コネクタの場合を例示すると、ハンドセット側にスピーカ２６とマイク２８がある場合には、図６のように接続ピン１と接続ピン２との間にマイク２８が接続され、接続ピン２と接続ピン４との間にスピーカ２６が接続され、マイク２８のオンオフつまり送受信の切り替えはスイッチ（ＰＴＴスイッチ）２０によって行われる。
【００１２】
これに対し、無線機本体内にスピーカが内蔵されているときは、同じピン数でも図７のように接続ピン４が空きとなっている。図６あるいは図７とは異なった接続ピンの出し方もある。
【００１３】
したがって、同じピン数を有した接続コネクタ１６であっても、受信レベル測定器用として用いられる同じ測定ケーブルを利用したのでは、目的の受信レベルを測定できない場合がある。
【００１４】
そのため、従来では図８に示すように、受信レベル測定器３０に接続される測定ケーブル３４にあっては、その一端に受信レベル測定器３０側に設けられた接続コネクタ３２に差し込まれる接続コネクタ３６が備えられているが、無線機本体側に接続される端部側は開放されており、ピン数に応じたリード線３４ａ、・・・を露出させた測定用ケーブル３４が使用される。
そして、例えば受信レベル測定用のリード線３４ａおよび３４ｃを接続コネクタ１６の対応する接続ピンに接続する。図８の接続コネクタ１６が図６と同じ構成であるときは、リード線３４ａを接続ピン４に巻き付け、リード線３４ｃを接続ピン２に巻き付ける。
【００１５】
同時に、測定ケーブル３４側のスピーカ用リード線３４ｂを接続ピン１に巻き付け、他方のリード線３４ｄを接続ピン２に巻き付ける。このような接続作業を行ってから、実際の受信レベル等の測定を行っている。
【００１６】
そのため、この接続コネクタ１６へのリード線３４ａ〜３４ｄの接続作業が非常に面倒である。特に車載用の無線機の受信レベルを測定するような場合では、この無線機がインパネに据え付けられているケースが多く、その場合には接続コネクタ１６側のスペースが少ないようなこともあって、その接続作業が面倒になり、多くの時間を費やしてしまうことがある。また、接続ピンへの接続（巻き付け）が不十分であるときには、受信レベルを正しく測定できないこともある。
【００１７】
そこで、この発明はこのような従来の課題を解決したものであって、特に無線機専用の測定ケーブルをコネクタ形式で接続できる測定用アダプターを用意することで、接続作業を簡略化すると共に安定した測定を実現した測定用アダプターを提案するものである。
【課題を解決するための手段】
【００１８】
上述の課題を解決するため、請求項１に記載したこの発明に係る測定用アダプターは、無線機の受信レベルなどの特性を測定するために、上記無線機と測定器具との間に設けられる測定用アダプターであって、
この測定用アダプターは、測定用アダプター本体と、上記無線機に設けられたハンドセット用コネクタと上記測定用アダプター本体とを接続する測定用ケーブルで構成され、
上記測定用アダプター本体は、少なくとも測定用マイク端子、測定用スピーカ端子および送受信切り替え用スイッチ端子を有し、
上記測定用ケーブルには、上記ハンドセット用コネクタに導出されたマイク端子、スピーカ端子および送受信切り替え端子が、それぞれ上記測定用の各端子と接続されるように結線された接続コネクタがその両端に備えられたことを特徴とする。
【００１９】
この発明では、測定用アダプターを、その本体と、測定用ケーブルとで構成する。測定用ケーブルは測定用アダプター本体と測定すべき無線機との間を接続するもので、その両端に接続コネクタが備えられている。測定用アダプター本体は、無線機を送信機として使用する場合、つまり相手側の無線機が測定モードとなっている場合には、測定用アダプター本体には試験信号用の発生器（試験信号変調器）が接続されて、測定用試験信号がこの測定用アダプターを介して無線機に供給される。
【００２０】
測定用アダプターが接続された無線機の電気的特性を測定する場合には、この測定用アダプター本体には受信レベル用の測定器が接続され、無線機で受信した測定試験信号を復調して得たマイク出力がこの測定用アダプターを介して受信レベル測定器に供給される。受信した試験信号の信号レベル（受信レベル）と、無変調信号を受信したときのノイズレベルからその無線機における受信レベルのＳ／Ｎ（電気的特性）が測定される。
【００２１】
受信レベルが例えば３０ｄＢ以上であるときは正常動作と判断する。３０ｄＢ以下であるときは、再点検や修理などを行い、３０ｄＢ以上となったとき初めて正常動作と判断し、それ以外は交換となる。
【００２２】
無線機本体に設けられた接続コネクタの出力の出し方が相違するときは、測定用ケーブルも当該無線機の接続コネクタ構成に合致した測定用ケーブルが使用される。この場合、接続コネクタがどのように構成されようと、無線機の接続コネクタのマイク端子は、測定用アダプターのマイク端子と接続され、接続コネクタのスピーカ端子は、測定用アダプターのスピーカ端子と接続され、そして接続コネクタの送受信切り替え用スイッチ端子は、測定用アダプターの送受信切り替え用スイッチ端子と接続されるように、測定用ケーブルの接続リード線がこの測定用ケーブルの両端部に設けられた接続コネクタに接続されたものが使用される。
【００２３】
メーカが違ったり、同じメーカでも機種が相違する無線機は、通常３種類程度であるので、測定用ケーブルとしては３種類程度の専用ケーブル（測定用ケーブル）を用意すれば足りる。
【００２４】
測定用アダプター本体には、スピーカのインピーダンスの違いがあってもマッチングさせるために、整合トランスが複数設けられ、測定すべき無線機の仕様に合った整合トランスを選択できるように構成されている。
【００２５】
さらに、スピーカ端子に関連して終端抵抗器が設けられ、被測定用無線機がノイズレベル測定モードとなっているときは、試験信号送信側に接続された測定用アダプター本体の測定用スピーカ端子の両端が、この終端抵抗器によって終端される。この終端によって送信側の測定用アダプター本体側からのノイズ混入を防止でき、ノイズレベル測定時の安定化を図ることができる。
【発明の効果】
【００２６】
この発明は、測定用アダプターとして測定用アダプター本体に、無線機に接続される測定用ケーブルを用意したものである。
【００２７】
測定用ケーブルの両端にはそれぞれ接続コネクタが備えられているので、無線機に合った測定用ケーブルを使用することで、簡単に測定用アダプター本体と無線機との間を接続できるため、測定時間の大幅な短縮を図ることができると共に、安定した測定を実現できる。特に、車載用の無線機のような場合、スペースの狭い個所でのケーブル接続作業となるため、接続コネクタが設けられている測定用ケーブルを使用することで接続作業の大幅な短縮を図れる。
【００２８】
測定用アダプター本体には、送受信切り替え用のスイッチを設けたので、送受信の切り替えが簡単に行えると共に、無線機の内部特性に合わせるためのインピーダンスマッチング用の整合トランスを設けることによって、調達した無線機の全てをこの測定用アダプター１つで測定できる実益を有する。
【発明を実施するための最良の形態】
【００２９】
続いて、この発明に係る測定用アダプターの好ましい実施例を図面を参照して詳細に説明する。
【実施例１】
【００３０】
図１はこの発明に係る測定用アダプター４０を無線機１０に接続した場合を示す。図１において、この無線機１０は自身の受信レベルを測定する場合にも使用される他、この無線機と通信する相手方の無線機がその受信レベルを測定するときの送信機としても使用される。無線機としては車載用の無線機（移動局）や、固定局の無線機が考えられる。
【００３１】
この無線機１０には測定用アダプター４０を介して試験信号を送信するための試験信号発生器４４と、受信レベルの測定器３０のそれぞれが接続される。測定用アダプター４０はアダプター本体４０Ａと測定用ケーブル４０Ｂとで構成される。
【００３２】
試験信号発生器４４は測定用アダプター本体４０Ａの入力端子４２ａに接続され、受信レベル測定器３０は測定用アダプター本体４０Ａの出力端子４２ｂに接続される。
【００３３】
ここに入力端子４２ａは測定用マイク端子となり、出力端子４２ｂは測定用スピーカ端子となる。これらの入出力端子の他に、この測定用アダプター本体４０Ａの側面部には接続コネクタ５０が設けられる。この接続コネクタ５０は測定用ケーブル４０Ｂを接続するためのものである。
【００３４】
その他に、本体正面パネルには後述する送受信切り替え用スイッチであるＰＴＴ（press to talk ）スイッチ６４、インピーダンスマッチング用スイッチ（切り替えスイッチ）６０、終端用スイッチ（例えば押圧式のトグルスイッチ）６８などが設けられている。
【００３５】
接続コネクタ５０と、無線機１０の接続コネクタ１６との間は測定用ケーブル４０Ｂによって接続される。測定用ケーブル４０Ｂの両端にはそれぞれ接続コネクタ４８Ａ、４８Ｂが設けられている。接続コネクタ１６および５０がそれぞれピンジャック式のものであるときは、測定用ケーブル４０Ｂ側の接続コネクタ４８Ａ、４８Ｂはピンプラグ式のものが使用される。
【００３６】
ここで、無線機１０側に設けられた接続コネクタ１６がどのような出力の仕方であろうとも、接続コネクタ１６の接続ピンのうちマイク端子は、測定用アダプター本体４０Ａ側でもマイク端子に接続され、接続コネクタ１６のスピーカ端子は、測定用アダプター本体４０Ｂ側のスピーカ端子に接続され、接続コネクタ１６のＰＴＴ端子は、測定用アダプター本体４０Ａ側のＰＴＴ端子に接続され、そして接続コネクタ１６の接地端子は、測定用アダプター本体４０Ｂ側の接地端子に接続されるように結線された測定用ケーブル４０Ｂが使用される。
【００３７】
したがって、無線機１０側の接続コネクタ１６の出力形式が相違する場合には、その違いがあっても必ず測定用アダプター本体４０Ａ側には対応する端子に接続されるような専用の測定用ケーブル４０Ｂが使用されることになる。接続コネクタ１６の接続形式が違う分だけ専用の測定用ケーブル４０Ｂを用意する必要がある。つまり目的の無線機に合致した専用の測定用ケーブル４０Ｂを用いて電気的特性の測定が行われる。無線機が相違しても測定用アダプター本体４０Ａは同じであるので、１台の測定用アダプター本体４０Ａで種類の異なる全ての無線機の電気特性（受信レベルなどの諸特性を言う）を測定できる。
【００３８】
図２は測定用アダプター本体４０Ａの電気的構成例を示す接続図である。この例では接続コネクタ５０が４ピン構成のものを例示する。ここで、メス側接続コネクタ５０にあって、接続ピン５０ａは送受信切り替え用のスイッチ端子（ＰＴＴ）、接続ピン５０ｂは接地用の端子（ＧＮＤ）、接続ピン５０ｃはマイク端子（ＭＩＣ）そして接続ピン５０ｄはスピーカ用の端子（ＳＰ）とする。
【００３９】
したがって、オス型接続コネクタ４８Ｂもまた端子ａは送受信切り替え用のスイッチ端子となり、端子ｂは接地用の端子、端子ｃはマイク端子そして端子ｄはスピーカ用の端子となる。
【００４０】
無線機１０の接続コネクタ１６として例えば図６構成のものが使用されているときは、端子ａはＰＴＴスイッチ用の接続ピン３と接続されるように内部リード線の結線が行われる。同様に、その他の内部リード線は、端子ｂは接地用の接続ピン２と結線され、端子ｃはマイク端子用接続ピン１と結線され、端子ｄはスピーカ用の接続ピン４と結線される。
【００４１】
したがって測定用アダプター本体４０Ａは無線機の製造メーカや機種が相違しても共通に使用することができる。共通に使用できるようにするため、この測定用アダプター本体４０Ａにはさらに次のような工夫がなされている。
【００４２】
図２を参照して説明する。マイク端子４２ａと５０ｃとの間には複数の整合トランスこの例では一対の整合トランス５２，５４が設けられる。これら整合トランスは何れも無線機１０と発生器４４との間のインピーダンスマッチングをとるために切り替え使用されるもので、この例では入力側（マイク端子５０ｃ側）のみ巻数比が異なる第１および第２の整合トランス５２，５４が設けられ、これらの入出力側にそれぞれ連動して切り替えられる切り替えスイッチ５６，５８が設けられている。実線図示の切り替え状態は第１の整合トランス５２が選択されている場合であり、これとは逆の切り替えでは第２の整合トランス５４が選択されるようになっている。そのためこれら切り替えスイッチ５６，５８を連動して制御する端子６０には図１に示すような切り替えボタン（IMP SW）が関連されている。
【００４３】
また、これら整合トランス５２，５４の入力段と測定用マイク端子４２ａとの間には終端抵抗器６６が接続できる構成となされている。換言すれば、測定用マイク端子４２ａに関連して連動するスイッチ６７ａ、６７ｂを介して終端抵抗器６６が設けられる。被測定用無線機がノイズレベル測定モードとなっているときは、試験信号送信側に接続された測定用アダプター本体の測定用マイク端子４２ａの両端が、この終端抵抗器６６によって終端される。
【００４４】
そのため、これら終端スイッチ６７ａ、６７ｂに関連する終端スイッチ（終端ＳＷ）６８が図１のアダプター本体パネル面に設けられている。この終端によって送信側の測定用アダプター本体側からのノイズ混入を防止でき、ノイズレベル測定時の安定化を図ることができる。
【００４５】
スピーカ用の端子５０ｄと、これと対応する測定用スピーカ端子４２ｂとの間には、整合トランス６２が接続され、接地用端子５０ｂは何れも整合トランス５２，５４，および６２の接地側端子に接続されている。そして、この接地用端子５０ｂと端子５０ａとの間には送受信切り替え用のＰＴＴスイッチ６４が接続されている。
【００４６】
続いて、このような測定用アダプター４０を使用した測定例を図３および図４を参照して示す。図３は一対の無線機１０Ａ，１０Ｂのうち一方の無線機１０Ａを送信機（Ａ局）として使用し、他方の無線機１０Ｂを被測定用無線機（Ｂ局）として使用する測定例を示す。Ａ局は固定局で、Ｂ局は移動局の場合である。
【００４７】
送信側にあっては、送信用無線機１０Ａに測定用ケーブル４０Ｂａを用いて測定用アダプター本体４０Ａａが接続される。測定用ケーブル４０Ｂａは無線機１０Ａ専用のケーブルが使用される。そして測定用アダプター本体４０Ａａの測定用マイク端子４２ａに試験信号発生器４４Ａが接続される。
【００４８】
受信側にあっても、その受信用無線機１０Ｂには測定用ケーブル４０Ｂｂによって測定用アダプター本体４０Ａｂが接続され、またこの測定用アダプター本体４０Ａｂの測定用スピーカ端子４２ｂにレベル測定器３０Ｂが接続される。測定用ケーブル４０Ｂｂも無線機１０Ｂ専用であるが、この場合、無線機１０Ａと１０Ｂは同一メーカの同一機種であることが多いので、測定用ケーブル４０Ｂａと４０Ｂｂとは同一結線が施されたケーブルが使用されることになる。
【００４９】
計測モードは２つのモードが用意されている。第１の計測モードは変調信号を載せたキャリア信号を送信してその受信レベルを計測するモードであり、第２の計測モードは無変調信号を受信してノイズレベルを計測するモードである。
【００５０】
第１の計測モードでは、試験信号発生器４４Ａからは試験信号が送出される。試験信号としてこの例では１５０ＭＨｚのキャリア信号に対し、変調信号として８００Ｈｚ又は１ｋＨｚの正弦波信号が使用される。２種類の変調信号を使用したのは、メーカ仕様に合わせるためである。試験信号は測定用アダプター本体４０Ａａに供給される。測定用アダプター本体４０Ａａはハンドセット用のＰＴＴスイッチ６４Ａをオン（押圧）することで、無線機１０Ａは送信モードに切り替えられ、測定のための基準レベルにセットされた変調信号は、無線機１０Ａによりリアクタンス変調され、送受信アンテナ７０Ａから送出される。
【００５１】
他方、測定用アダプター本体４０Ａｂに設けられたＰＴＴスイッチ６４Ｂを開放（非押圧状態）とすることで、被測定用無線機１０Ｂは受信モードとなる。これによって試験信号はこの被測定用無線機１０Ｂに備えられた他方の送受信アンテナ７０Ｂで受信される。受信信号はこの被測定用無線機１０Ｂによって復調され、復調された受信信号が測定用アダプター本体４０Ａｂのスピーカ端子５０ｄおよび測定用スピーカ端子４２ｂをそれぞれ介してレベル測定器３０Ｂに供給される。このレベル測定器３０Ｂで試験信号の受信レベルが計測される。受信レベルは担当者によってメモされる。
【００５２】
続いて、第２の計測モードに移行する。この第２の計測モードでは、無変調信号を受信してそのときのノイズレベルが計測される。このとき、測定用アダプター本体４０Ａａ側の終端スイッチを操作して終端抵抗器６６によって測定用マイク端子４２ａ側が終端される。測定用マイク端子４２ａ側を終端して送信側からのノイズを拾って送信されないようにするためで、測定の安定性と信頼性を確保するためである。このとき試験信号発生器４４Ａは測定回路から切り離す。
【００５３】
第２の計測モードでは、被測定用無線機１０Ｂが無変調信号を受信し、その受信信号をレベル測定器３０Ｂに供給することで無変調信号のノイズレベルが測定される。その測定結果と上述した受信レベルとから受信レベルのＳ／Ｎが求められる。
【００５４】
この受信レベルのＳ／Ｎが規定の値、例えば３０ｄＢ以上か否かが判別される。規定の値以上であるときは、その被測定無線機であるＢ局の無線機１０Ｂは「合格」となる。
【００５５】
これに対して、受信レベルのＳ／Ｎが３０ｄＢ以下であるときは、その無線機１０は改修される。３０ｄＢ以上に改修されることで現用機若しくは予備機として再配備されることになる。
【００５６】
上述したのとは逆に送信用として使用した無線機１０Ａも測定の対象となる。そのときの計測例を図４に示す。その構成は図３の場合と全く逆となり、試験信号変調器４４Ｂは測定用アダプター本体４０Ａｂの測定用マイク端子４２ａに接続され、測定用アダプター本体４０Ａｂは測定用ケーブル４０Ｂｂによって送信用として機能する無線機１０Ｂに接続される。
【００５７】
他方、被測定用の無線機１０Ａと測定用アダプター本体４０Ａａとは測定用ケーブル４０Ｂａによって接続され、また測定用アダプター本体４０Ａａの測定スピーカ端子４２ｂからの受信信号がレベル測定器３０Ａに接続されて構成される。
【００５８】
この図４の場合でも、リアクタンス変調された試験信号（そのキャリア周波数は１５０ＭＨｚ、変調周波数は８００Ｈｚ又は１ｋＨｚ）が送信され、送受信アンテナ７０Ａで受信された受信信号が被測定用無線機１０Ａで復調され、復調された受信信号が測定用アダプター本体４０Ａａを介してレベル測定器３０Ａによってその受信レベルが測定される。同様に、ノイズレベルが測定され、その結果として受信信号のＳ／Ｎが求められる。これによって、被測定用の無線機１０Ａの良否が判定される。
【産業上の利用可能性】
【００５９】
この発明は、ハンドセット用の接続コネクタの接続形態が相違する業務用無線機の特性測定のために使用することができる。
【図面の簡単な説明】
【００６０】
【図１】この発明に係る測定用アダプターの使用例を示す図である。
【図２】測定用アダプター本体の一例を示す接続図である。
【図３】受信レベルの計測例を示す系統図である（その１）。
【図４】受信レベルの計測例を示す系統図である（その２）。
【図５】無線機の一例を示す構成図である。
【図６】無線機側に設けられたハンドセット用接続コネクタの接続形態の一例を示す図である（その１）。
【図７】無線機側に設けられたハンドセット用接続コネクタの接続形態の一例を示す図である（その２）。
【図８】無線機の特性測定例を示す接続図である。
【符号の説明】
【００６１】
１０・・・無線機
１６，５０・・・接続コネクタ（メス型）
１８・・・ハンドセット
２０，６４・・・送受信切り替え用スイッチ（ＰＴＴ）
４０・・・測定用アダプター
４０Ａ（４０Ａａ，４０Ａｂ）・・・測定用アダプター本体
４０Ｂ（４０Ｂａ，４０Ｂｂ）・・・測定用ケーブル
４８Ａ，４８Ｂ・・・接続コネクタ（オス型）
４４（４４Ａ，４４Ｂ）・・・試験信号発生器
３０（３０Ａ，３０Ｂ）・・・受信レベル測定器
５２，５４，６２・・・整合トランス
６０・・・インピーダンス切り替えスイッチ（IMP SW） 
６４（６４Ａ、４Ｂ）・・・ＰＴＴスイッチ
６６・・・終端抵抗器
６８・・・終端スイッチ
【図１】
2006311437.tif 000003
【図２】
2006311437.tif 000004
【図３】
2006311437.tif 000005
【図４】
2006311437.tif 000006
【図５】
2006311437.tif 000007
【図６】
2006311437.tif 000008
【図７】
2006311437.tif 000009
【図８】
2006311437.tif 000010